(57)【要約】【課題】  上階から下階への音の伝播量を大幅に減衰させることができる。【解決手段】  板材４と、板材４の下面に間隔をあけて設けられる複数個の弾性部材５と、弾性部材５間に設けられる吸音材６とからなる衝撃吸収ボード３を備え、衝撃吸収ボード３は、床面２上に敷かれる防音床構造において、床面２と接する弾性部材５の先端部は、床面２とほぼ点接触するように形成されている。【選択図】  図１
2005146697.tif 000002
【特許請求の範囲】
【請求項１】
板材と、前記板材の下面に間隔をあけて設けられる複数個の弾性部材と、前記弾性部材間に設けられる吸音材とからなる衝撃吸収ボードを備え、前記衝撃吸収ボードは、床面上に敷かれる防音床構造において、
前記床面と接する前記弾性部材の先端部は、前記床面とほぼ点接触するように形成されていることを特徴とする防音床構造。
【請求項２】
前記弾性部材は、ゴム、前記吸音材は、グラスウール、前記板材は、合板またはパーチクルボードからなっていることを特徴とする、請求項１記載の防音床構造。
【請求項３】
前記衝撃吸収ボードの上面に、制振・遮音材を介して仕上板が敷かれていることを特徴とする、請求項１または２記載の防音床構造。
【請求項４】
前記弾性部材は、間隔をあけて一列に設けられ、この列の間に前記吸音材が設けられていることを特徴とする、請求項１から３の何れか１つに記載の防音床構造。
【発明の詳細な説明】
【技術分野】
【０００１】
この発明は、防音床構造、特に、上階から下階への音の伝播量を大幅に減衰させることができる、防音性能に優れた防音床構造に関するものである。
【背景技術】
【０００２】
現在の戸建住宅およびマンション等の床材は、木質系フローリングが主流になっている。このような多層階住宅の上階から下階に音が伝播することを防止する防音対策としては、以下の方法があった。
【０００３】
（１）仕上げフローリングとして材質の柔らかいものを使用することによって、床への衝撃を吸収する。
（２）床面から「つか」を立てて床を上げた置き床方式にする。
（３）仕上げフローリングと床下地との間にゴムやアスファルト系のマットからなる制振・遮音材を敷く。
（４）床パネルの下面に円筒形状のゴム支持脚を設け、このゴム支持脚間に吸音材を設けた防音床構造が特許文献１に開示されている。
【０００４】
【特許文献１】特開平５−１４１０７７号公報（第６頁、図１）
【発明の開示】
【発明が解決しようとする課題】
【０００５】
しかしながら、上述した防音方法は、以下のような問題があった。
【０００６】
（１）柔らかい仕上げフローリングを使用する方法は、フローリングを踏むと沈み込むので、歩行時船酔い現象を起させる。
（２）置き床方式は、防音性能を向上させるために、床面とフローリング面との間のスペースを広く取ると床高が高くなるので、室内空間が狭くなる。
（３）仕上げフローリングと床下地との間に制振・遮音材を敷く方法は、簡便に防音性能を向上させることはできるが、最適な制振・遮音材がないと、大きな防音効果は期待できない。
（４）床パネルの下面にゴム支持脚および吸音材を設ける方法は、床面と接触するゴム支持脚の下面が平面状に形成されているので、床面との接触面積が広い。従って、床パネルから受けた振動が床面に伝播しやすい。しかも、接触面積が広いためにゴム支持脚の下面と床面との間に隙間があいてしまう恐れがあり、この場合には、床パネルが良好に支持されない。
【課題を解決するための手段】
【０００７】
この発明は、上述の課題を解決するためになされたものであって、下記を特徴とする。
【０００８】
請求項１記載の発明は、板材と、前記板材の下面に間隔をあけて設けられる複数個の弾性部材と、前記弾性部材間に設けられる吸音材とからなる衝撃吸収ボードを備え、前記衝撃吸収ボードは、床面上に敷かれる防音床構造において、前記床面と接する前記弾性部材の先端部は、前記床面とほぼ点接触するように形成されていることに特徴を有するものである。
【０００９】
請求項２記載の発明は、請求項１記載の発明において、弾性部材は、ゴム、吸音材は、グラスウール、板材は、合板またはパーチクルボードからなっていることに特徴を有するものである。
【００１０】
請求項３記載の発明は、請求項１または２記載の発明において、衝撃吸収ボードの上面に、制振・遮音材を介して仕上板が敷かれていることに特徴を有するものである。
【００１１】
請求項４記載の発明は、請求項１から３の何れか１つに記載の発明において、弾性部材は、間隔をあけて一列に設けられ、この列の間に吸音材が設けられていることに特徴を有するものである。
【発明の効果】
【００１２】
この発明によれば、上階から下階への音の伝播量を大幅に減衰させることができる。
【発明を実施するための最良の形態】
【００１３】
次に、この発明の防音床構造の一実施態様を、図面を参照しながら説明する。
【００１４】
図１は、この発明の防音床構造を示す断面図、図２は、図１の部分拡大図、図３は、図１のＡ−Ａ線矢視図である。
【００１５】
図１から図３において、１は、根太、２は、根太１上に構築された合板からなる床面、３は、床面２上に敷かれた衝撃吸収ボードである。
【００１６】
衝撃吸収ボード３は、板材４と、板材４の下面に間隔をあけて接着剤等により固定された複数個の弾性部材５と、弾性部材５間に設けられた吸音材６とから構成されている。
【００１７】
板材４は、例えば、構造用合板またはパーチクルボードからなり、９ｍｍ以上の厚さを有し、施工性および性能面等から４５５ｍｍ以上の縦、横サイズを有している。
【００１８】
弾性部材５は、例えば、天然ゴム、ＳＢＲ（スチレンブタジエンゴム、ＮＢＲ（ニトリルブタジエンゴム）、ＣＲ（クロロプレンゴム）、ＢＲ（ブタジエンゴム）、ＩＲ（イソプレンゴム）からなり、床材としての平面性を維持する強度と衝撃を吸収しやすくするために、４０度〜９０度の硬度を有している。弾性部材５の床面２と接触する先端部（下面）は、先細り形状で床面２とほぼ点接触するように形成されている。この理由は、床面２との接触面積は少ない方が板材４から受けた振動を和らげる効果が大きいこと、および、先端部を先細り形状で床面２とほぼ点接触するように形成せず平面状に形成した場合には、先端部と床面２との間に隙間があいてしまう恐れがあり、この場合には、板材４が良好に支持されないことにある。先端部の形状は、乳頭状または三角錐状が好ましい。弾性部材５の取り付け位置は、床の耐荷重性能を確保し、且つ、床衝撃を吸収する役割を果たすために、一定間隔にすることが好ましく、その間隔は、１００ｍｍ〜５００ｍｍが好ましい。また、弾性部材５の高さは、１０ｍｍ〜５０ｍｍが好ましい。
【００１９】
吸音材６は、例えば、発泡体や繊維状物質からなるが、繊維状物質を用いる方が吸音性能は向上する。繊維状物質としては、板状グラスウールや不織布が運搬および取り扱い時の破損防止上、好ましい。
【００２０】
７は、衝撃吸収ボード３上に敷かれた制振・遮音材であり、ゴム系、プラスチック系もしくはアスファルト系のバインダーに、防音性能を向上させるために鉄粉等の高比重粉体を混練して板状に成形したものからなっている。
【００２１】
８は、制振・遮音材７上に敷かれたフローリング等の仕上板である。
【００２２】
このように構成されている、この発明の防音床構造によれば、仕上板８からの音は、制振・遮音材７および衝撃吸収ボード３によって吸収され、床面２への伝播量は著しく減衰する。特に、弾性部材５の先端部を先細り形状で床面２とほぼ点接触するように形成することによって、この減衰効果は高まる。
【実施例】
【００２３】
次に、この発明を実施例により更に説明する。
【００２４】
図１〜図３に示す防音床構造からなる本発明試験体を、以下のようにして作製した。
【００２５】
弾性部材５として、天然加硫ゴムからなり乳頭状の突起が形成されたゴム硬度６０度のものを使用した。この弾性部材５をパーチクルボードからなる板材４の下面に２８５ｍｍピッチでタッカー止めし、弾性部材５間の板材４の下面に板状のグラスウール（１５×９１０×２３０ｍｍ、３０ｋｇ／ｍ３）からなる吸音材６をタッカー止した。このようにして作製した衝撃吸収ボード３を弾性部材５を下にして床面２上に敷き並べた。
【００２６】
そして、この衝撃吸収ボード３上に制振・遮音材７を介して仕上板８としてのフローリング（１２×３０３×１８２０ｍｍ）を敷いて釘止めして、本発明試験体を作製した。制振・遮音材７（８×４５５×９１０ｍｍ、９．９ｋｇ／枚）は、バインダーとしてのアスファルトに酸化鉄粉を加熱混練し、両面を不織布により覆ったものを使用した。
【００２７】
次に、比較例１として、床面２上に本発明試験体で用いたと同じフローリングを釘止めして、比較試験体を作製した。
【００２８】
そして、本発明試験体および比較試験体を在来軸組み木造住宅に施工し、床衝撃音遮断性能をＪＩＳ  Ａ  １４１８に準拠して測定した。この結果を表１に示す。なお、表１において、重量床衝撃音とは、飛び跳ね等により生じる衝撃音であり、軽量床衝撃音とは、物の落下等により生じる衝撃音である。
【００２９】
【表１】
2005146697.tif 000003
【００３０】
表１から明らかなように、本発明試験体は、比較試験体に比べて重量床衝撃音で３ランク、軽量床衝撃音で４ランク改善されていることが分かった。
【図面の簡単な説明】
【００３１】
【図１】この発明の防音床構造を示す断面図である。
【図２】図１の部分拡大図である。
【図３】図１のＡ−Ａ線矢視図である。
【符号の説明】
【００３２】
１：根太
２：床面
３：衝撃吸収ボード
４：板材
５：弾性部材
６：吸音材
７：制振・遮音材
８：仕上板
【図１】
2005146697.tif 000004
【図２】
2005146697.tif 000005
【図３】
2005146697.tif 000006